(57)【特許請求の範囲】
【請求項１】
三次元画像処理にて立体感を付与した図柄(２)を異なる視点から見てそれぞれ得られた二枚の視差図柄をそれぞれ等幅で複数の線状帯に分割し、前記視差図柄からそれぞれ得られた各線状帯を交互に隣接するように分割順を保って配列して一枚の図柄とした配列図柄(Ｓ)が所定厚さの透明基板(１)の裏面に設けられ、前記透明基板(１)の表面において前記線状帯二本分の幅と同じ幅のマスキング(３)が該マスキング(３)の幅と同一幅の間隔を隔てて複数本配列された状態で、しかも該マスキング(３)のそれぞれの位置が前記線状帯のそれぞれの位置に対応するようにストライプ状に設けられてなることを特徴とする立体的に見える画像パネル。
【請求項２】
三次元画像処理にて立体感を付与した二種類の図柄を異なる視点から見てそれぞれ得られた合計四枚の視差図柄をそれぞれ等幅で複数の線状帯に分割し、前記視差図柄からそれぞれ得られた各線状帯を交互に隣接するように分割順を保って配列して一枚の図柄とした配列図柄(Ｓ)が所定厚さの透明基板(１)の裏面に設けられ、前記透明基板(１)の表面において前記線状帯二本分の幅と同じ幅のマスキング(３)が該マスキング(３)の幅と同一幅の間隔を隔てて複数本配列された状態で、しかも該マスキング(３)のそれぞれの位置が前記線状帯のそれぞれの位置に対応するようにストライプ状に設けられてなり、視点を変えることにより異なる画像が立体的に見えることを特徴とする立体的に見える画像パネル。
【請求項３】
複数種類の異なった図柄に対し三次元画像処理にて遠近感を付与、又は、遠近感と共に立体感を付与した合成図柄を異なる視点から見てそれぞれ得られた二枚の視差図柄をそれぞれ等幅で複数の線状帯に分割し、前記視差図柄からそれぞれ得られた各線状帯を交互に隣接するように分割順を保って配列して一枚の図柄とした配列図柄(Ｓ)が第１の透明フィルム(１ａ)の表面に印刷されて形成され、前記線状帯二本分の幅と同じ幅のマスキング(３)が該マスキング(３)の幅と同一幅の間隔を隔てて複数本配列された状態でストライプ状に第２の透明フィルム(１ｂ)の裏面に印刷されて形成され、前記透明フィルム(１ａ)の表面が所定厚さの透明基板(１)の裏面に貼り合わせられてなると共に、前記マスキング(３)のそれぞれが前記配列図柄(Ｓ)の線状帯のそれぞれの位置に対応するように前記第２のフィルム(１ｂ)の裏面が該透明基板(１)の表面に貼り合わせられてなり、遠近感を有する画像が立体的に見えることを特徴とする立体的に見える画像パネル。
【請求項４】
所定厚さの透明基板(１)の一表面に、複数の異なる形態の動的図柄に対して、各図柄をそれぞれ三次元画像処理にて立体感を付与すると共に左右異なる視点から見てそれぞれ得られた前記動的図柄の数の２倍の数の視差図柄を等幅でそれぞれ複数の線状帯に分割し、前記視差図柄からそれぞれ得られた各線状帯を交互に隣接するように分割順を保って配列して一枚の図柄とした配列図柄(Ｓ)が設けられてなる画像基板(Ａ)と、透明フィルム(１ｃ)の一表面に、前記動的図柄の数より一つ少ない数に異なる視点の数を乗じた数の線状帯の幅のマスキング(３)が、一つの動的図柄に対する異なる視点の数と同数の線状帯の幅と同じ幅を隔てて配列された状態で前記線状帯のそれぞれの位置と対応するようにストライプ状に設けられてなるストライプフィルム(Ｂ)とからなり、前記画像基板(Ａ)と前記ストライプフィルム(Ｂ)とが褶接して前記ストライプの方向と直交方向に相対的に移動可能にされてなり、ストライプフィルムの移動により複数の異なる形態の動的画像が立体的に見えることを特徴とする立体的に見える画像パネル。
【発明の詳細な説明】
【０００１】
【発明の属する技術分野】
本発明は、従来のレンチキュラーレンズを使用することなく、チェンジング画像や動的画像が立体的に見える画像パネルに関する。さらに詳しくは、レンチキュラーレンズに代えてストライプ状のマスキングを印刷等により形成してなる立体的に見える画像パネル及び該パネルの製造方法に関する。
【０００２】
【従来の技術】
従来、立体画像パネルにおける精度の高い画像形成手段としては特開昭５５−１３０７９４号公報に開示された立体画像印刷方法が実用化されており、また、登録実用新案第３０１２１４６号公報には、二重像画面とレンチキュラースクリーンとを接離自在に組み合わせて立体画像や動的画像あるいは複数の二重像画面を交互にみることができるレンチキュラー印刷物が開示されている。
【０００３】
前者の特開昭５５−１３０７９４号公報に開示された立体画像印刷方法は、図１５に示すように、複数の円柱レンズ(かまぼこ状レンズ)を平行に並べたレンチキュラー板７の裏面に、一つの図柄に対し左右異なる方向(視点８、９)から見た画像情報Ｌ，Ｒ(Ｌ1，Ｒ1…Ｌi，Ｒi、ｉは正の整数)を交互に配置して複数の細い縞状に形成するもので、この画像情報Ｌ，Ｒを視点８、９の位置からレンチキュラー板７を介して両眼視することにより立体画像として見えるようにしたものである。
【０００４】
また、後者の登録実用新案第３０１２１４６号公報に開示されたレンチキュラー印刷物は、二枚の画像をそれぞれ所定の幅で複数の線状帯に分割し、これらの線状帯を、異なる画像が交互に隣接するように一枚の画面に配列して印刷し、この印刷画面の線状帯に等しい幅のかまぼこ状のレンズを多数形成したレンチキュラースクリーンを接離自在に組み合わせたもので、印刷画面またはレンチキュラースクリーンのいずれかを揺動させることにより印刷画面の図柄を立体画像や動的画像として見えるようにしたものである。
【０００５】
前記従来の技術においては、いずれもかまぼこ状のレンズを多数並列に形成したレンチキュラー板やレンチキュラースクリーン(以下両者をまとめて「レンチキュラー板」という)を使用することによって、その裏面に配置された組み合わせ画像を立体画像として見る形態を採っている。
【０００６】
【発明が解決しようとする課題】
前記従来のかまぼこ状のレンズを多数並列に形成したレンチキュラー板は、通常、透明な合成樹脂を金型にて成形することにより製作されている。
【０００７】
しかし、金型による樹脂成形に際しては、高額な金型費用(数百万円)を必要とし、また、レンチキュラー板裏面への画像印刷に際しても、形成後のかまぼこ状レンズのピッチに対応させて、これと並行に線状帯による画像を正確に印刷しなければならず、この位置合わせは特に正確さが要求され大変面倒であり、所要の印刷精度が容易には得られないという問題があった。
【０００８】
本発明は、このような問題点に鑑みてなされたものであり、レンチキュラーレンズを要することなく、通常の印刷技術等により作製でき、チェンジング画像や動的画像を立体的に視認することができる、立体的に見える画像パネル及び該パパネルの製造方法及び該パネルの製造方法を提供することを課題とする。
【０００９】
【課題を解決するための手段】
そこで、本発明者は、印刷に携わる者として前記課題につき研究を重ね、前記かまぼこ状のレンズを多数並列に形成したレンチキュラー板の改良を種々試みた結果、レンチキュラー板の主たる機能がレンズ効果ではなく、レンチキュラー板の下方に位置させた図柄に対して見える部分と見えない部分を形成している点にあるという知見を得た。即ち、例えば、図１５によれば、右目８からは、レンズ曲面ＢRの影側になる部分の画像を見ることができず、左目９からは、レンズ曲面ＢLの影側になる部分の画像を見ることができないのである。
【００１０】
そして、当該知見に基づいて種々研究を重ねた結果、従来のレンチキュラー板に代えて、所定厚さの透明基板の表面に、当該透明基板の下方に位置させた線状帯による図柄と等ピッチのストライプ(縦縞)によるマスキングを形成することにより、マスキングが、レンチキュラー板の場合の、前記影側になる部分の画像を隠す作用と同様の作用をするので、前記かまぼこレンズ状のレンチキュラー板を介して見た場合と同様な立体画像を見ることができる本発明を完成するに至ったものである。
【００１１】
即ち、本発明の第１の態様による立体的に見える画像パネルは、三次元画像処理にて立体感を付与した図柄２を異なる視点から見てそれぞれ得られた二枚の視差図柄をそれぞれ等幅で複数の線状帯に分割し、前記視差図柄からそれぞれ得られた各線状帯を交互に隣接するように分割順を保って配列して一枚の図柄とした配列図柄Ｓが所定厚さの透明基板１の裏面に設けられ、前記透明基板１の表面において前記線状帯二本分の幅と同じ幅のマスキング３が該マスキング３の幅と同一幅の間隔を隔てて複数本配列された状態で、しかも該マスキング３のそれぞれの位置が前記線状帯のそれぞれの位置に対応するようにストライプ状に設けられてなることを特徴とする。
かかる構成により、立体感を付与した図柄を、レンチキュラーレンズを使用することなく、立体的な画像として視認できる画像パネルを得る。
【００１２】
尚、等幅は、実際の製造時のバラツキの範囲内で、等分できる幅であればよいが、細い程、視覚効果は優れているので、好ましい。また、等分であれば線状帯の本数は偶数奇数の別を問わない。
【００１３】
各線状帯を交互に隣接するように分割順を保って配列して１枚の図柄とする意味は、各線状帯を隙間なくかつ重なり合いなく接続する意味である。また、マスキングのそれぞれの位置が線状帯のそれぞれの位置に対応する意味は図１の(ａ)等に示すように、線状帯同士の境界位置と、マスキングの位置とが上面視で対応している意味である。これらの用語表現は以下の他の態様の説明においても同様の意味である。
【００１４】
本発明の第２の態様による立体的に見える画像パネルは、三次元画像処理にて立体感を付与した二種類の図柄を異なる視点から見てそれぞれ得られた合計四枚の視差図柄をそれぞれ等幅で複数の線状帯に分割し、前記視差図柄からそれぞれ得られた各線状帯を交互に隣接するように分割順を保って配列して一枚の図柄とした配列図柄Ｓが所定厚さの透明基板１の裏面に設けられ、前記透明基板１の表面において前記線状帯二本分の幅と同じ幅のマスキング３が該マスキング３の幅と同一幅の間隔を隔てて複数本配列された状態で、しかも該マスキング３のそれぞれの位置が前記線状帯のそれぞれの位置に対応するようにストライプ状に設けられてなり、視点を変えることにより異なる画像が立体的に見えることを特徴とする。
かかる構成により、立体感を付与した二種類の図柄を、レンチキュラーレンズを使用することなく、視点を変えることにより異なる画像が立体的な画像として視認できる画像パネルを得る。
【００１５】
本発明の第３の態様による立体的に見える画像パネルは、複数種類の異なった図柄に対し三次元画像処理にて遠近感を付与、又は、遠近感と共に立体感を付与した合成図柄を異なる視点から見てそれぞれ得られた二枚の視差図柄をそれぞれ等幅で複数の線状帯に分割し、前記視差図柄からそれぞれ得られた各線状帯を交互に隣接するように分割順を保って配列して一枚の図柄とした配列図柄Ｓが第１の透明フィルム１ａの表面に印刷されて形成され、前記線状帯二本分の幅と同じ幅のマスキング３が該マスキング３の幅と同一幅の間隔を隔てて複数本配列された状態でストライプ状に第２の透明フィルム１ｂの裏面に印刷されて形成され、前記透明フィルム１ａの表面が所定厚さの透明基板１の裏面に貼り合わせられてなると共に、前記マスキング３のそれぞれが前記配列図柄Ｓの線状帯のそれぞれの位置に対応するように前記第２のフィルム１ｂの裏面が該透明基板１の表面に貼り合わせられてなり、遠近感を有する画像が立体的に見えることを特徴とする。
かかる構成により、遠近感を付与した図柄を、レンチキュラーレンズを使用することなく、立体的な画像として視認できる画像パネルを得る。
【００１６】
本発明の第４の態様による立体的に見える画像パネルは、所定厚さの透明基板１の一表面に、複数の異なる形態の動的図柄に対して、各図柄をそれぞれ三次元画像処理にて立体感を付与すると共に左右異なる視点から見てそれぞれ得られた前記動的図柄の数の２倍の数の視差図柄を等幅でそれぞれ複数の線状帯に分割し、前記視差図柄からそれぞれ得られた各線状帯を交互に隣接するように分割順を保って配列して一枚の図柄とした配列図柄Ｓが設けられてなる画像基板Ａと、透明フィルム１ｃの一表面に、前記動的図柄の数より一つ少ない数に異なる視点の数を乗じた数の線状帯の幅のマスキング３が、一つの動的図柄に対する異なる視点の数と同数の線状帯の幅と同じ幅を隔てて配列された状態で前記線状帯のそれぞれの位置と対応するようにストライプ状に設けられてなるストライプフィルムＢとからなり、前記画像基板Ａと前記ストライプフィルムＢとが前記ストライプの方向と直交方向に褶接して相対的に移動可能にされてなり、ストライプフィルムの移動により複数の異なる形態の動的画像が立体的に見えることを特徴とする。
かかる構成により、ストライプフィルムの移動により複数の異なる形態の動的画像を、レンチキュラーレンズを使用することなく、立体的な画像として視認できる画像パネルを得る。
【００１７】
本発明に係る立体的に見える画像パネルの構成をより詳しく説明すれば、次の通りである。尚、本明細書において、立体感を付与するとは、画像に陰影を付け、隠れる面を見えないようにし(陰線処理)、光の強さを計算して色付けすることによって立体らしく見せるようにすることをいい、遠近感を付与するとは、遠近法により、２つの物体が相対的に前後の位置関係を奥行き感を有するように見せるようにすることをいう。
【００１８】
まず、本発明における透明基板１には市販の合成樹脂によるアクリル板の他、ポリエステル板、ポリカーボネイト板、ポリ塩化ビニル板等やガラス板等が使用でき、その厚さは約０．３〜１０ｍｍであり、より自然な立体感又は遠近感の視覚効果が得られる観点からは、好ましくは約２〜５ｍｍである。
【００１９】
また、透明基板１の裏面側に設ける、線状帯を集合させて構成する手法による印刷図柄は、前記特開昭５５−１３０７９４号公報に開示された立体画像印刷方法により設けることもできるが、現在では市販のプログラムソフト(例えば、３ディメンションソフトウェア：「３Ｄソフト」と称されている)を使用してパーソナルコンピュータ等を利用して形成することもできる。
【００２０】
即ち、かかるプログラムソフトによれば、写真やデザイン画の原図(図柄)に対して３次元画像処理を施すことによりコンピュータ上で当該図柄に立体感や遠近感(奥行き)を付与し、これを左右の異なった複数の視点から見てそれぞれ得られた二つの図柄(以下、視差図柄という)をそれぞれ等幅に分割して、異なった視差図柄の線状帯とし、この異なった視差図柄から得られた複数の線状帯を交互に隣接させて分割順を保って組み合わせた形態とすることが容易にできる。ここで、視差図柄を得るための視点は、ほぼ同一平面上の複数の点を設定することが多いが、前後に異なる距離の点であってもよい。
【００２１】
前記３次元画像処理により図柄(原図)に立体感や遠近感(奥行き)を付与する作業には、例えば、「シェード」(エクスツールズ株式会社製ソフトウェア)を使用し、左右の異なった視差図柄をそれぞれ複数の線状帯に分割し、これを交互に隣接させて分割順を保って配列して組み合わせる作業には、例えば、「フォトショップ」(アドビシステムズ株式会社製ソフトウエア)を使用することによって、前記図柄に対する各画像処理がコンピュータにより容易かつ確実に可能である。
【００２２】
以上のようにして、左右の異なった視点から見て得られた視差図柄をそれぞれ分割して得た複数の線状帯によるそれぞれ異なった視差図柄の線状帯を交互に隣接させて分割順を保って配列して組み合わせた形態の配列図柄は、一定の寸法を隔てて、線状帯の幅と対応させて設けた複数のスリットを介して両眼視することにより立体画像として視認できる。そして、本発明に係わる画像パネルは片目で見ても立体的な視覚効果が得られる。
【００２３】
また、複数の線状帯を配列して得た図柄(配列図柄)Ｓを透明基板１の裏面に設ける要領は、シルク印刷等の直接印刷はもとより、別の透明フィルムに印刷したものを接着剤を介して貼り合わせたり、転写により貼り合わせて設けることが可能であるが、直接印刷が容易かつ確実で安価である。
【００２４】
このとき、透明基板１の裏面に線状帯として印刷する図柄の幅は、実際の印刷装置等によって任意に設定することができるが、オフセット印刷の場合０．０８ｍｍ程度と極めて細い線状の図柄が得られ、スクリーン印刷の場合でも０．１６ｍｍ程度の細い線状の図柄が得られる。
【００２５】
従って、この線状帯の幅は特に限定されるものではなく、自由に設定可能であり、細ければ細い程、立体画像として見た場合緻密なものとなる。
【００２６】
次に、透明基板１の裏面側に設ける図柄の組合せ等について説明する(図１〜３参照)。かかる裏面側に設ける図柄としては、一つの図柄を立体的に見えるようにしてもよいし、数種類の異なった図柄を立体的に見えるようにしてもよく、また、数種類の異なった図柄を、それぞれ立体的な図柄、または、立体的でかつ遠近感の異なる図柄として組み合わせてもよい。
【００２７】
また、配列図柄Ｓとストライプ状のマスキング３とを、一枚の透明基板１の表面側及び裏面側にそれぞれ設けることにより立体画像を見るようにする態様に代えて、３次元画像処理により図柄(原図)に立体感や遠近感を付与した図柄や複数の異なる形態の動的図柄に対して、左右異なる視点から見てそれぞれ得られた前記動的図柄の数の２倍の数の視差図柄をそれぞれ所定幅にて複数の線状帯に分割し、この視差図柄からそれぞれ得られた各線状帯を交互に隣接させて分割順を保って配列して一枚の図柄とした状態の配列図柄を得て、この配列図柄を前記一枚の透明基板１に、直接印刷または貼り合わせにより設け、他方、ストライプ状のマスキング３は別の透明フィルムに設けて、両者を接触状態または小間隙を保って褶接状態とし、前記ストライプの方向と直交方向に相対的に移動可能に構成できる。このように構成すれば、この透明フィルムを左右に移動させることにより同じ位置から複数画像のチェンジングや動的画像が立体的に見える。
【００２８】
次に、他の立体的に見える画像パネルは、画面中において、前記のストライプの幅ＷSを複数種類に設定することができ、マスキングの幅もストライプに対応して設定するので、画面の明るさや色あいを部分的に変更したり、より多く見せる部分と少なく見せる部分とを差別化したりすることができる。
【００２９】
次に、他の立体的に見える画像パネルは、三次元画像処理にて立体感を付与した図柄２を異なる視点から見てそれぞれ得られた第１及び第２の視差図柄をそれぞれ同一方形でタイル分割し、第１の図柄をＡ、第２の図柄をＢ、各タイルを添字ｈｋによって行列状にＡhk、Ｂhk(ｈｋｍｎは何れも正の整数、ｈｋは奇数、１≦ｈ≦ｍ、１≦ｋ≦ｎ)と表わし、同一の添字についてタイルＡhkの右にタイルＢhkを配するとともにＡhk及びＢhkはそれぞれ元の図柄の行列配列を保って各タイルを規則的に交互に、又は、同一の添字についてタイルＡhkの下にタイルＢhkを配するとともにＡhk及びＢhkはそれぞれ元の図柄の行列配列を保って各タイルを規則的に交互に配列して一枚の図柄とした配列図柄Ｓを構成し、該配列図柄Ｓが所定厚さの透明基板１の裏面に設けられ、タイル２行２列分の大きさを有するマスキングが前記透明基板１の表面に市松模様の打違え位置ごとに前記配列図柄の各タイル位置に対応して配設されてなることを特徴とする。
【００３０】
ここで、タイル分割とは、略同一方形のタイルで平面を敷き詰めるようにタイルを貼り合せる形態を得るように平面を等分に分割することを意味する。各タイルの交互の配列要領において、添字による行列表示において添字１１が左上位置であることから上下左右を規定する。即ち、図６に示すように、添字１２、１３は右側へ、添字２１、３１は、下側へ並ぶ順となる。このように上下左右を規定して、タイルＡhkの右にタイルＢhkを配する、タイルＡhkの下にタイルＢhkを配する、と表現する。
【００３１】
従って、タイルＡhkの右にタイルＢhkを配する配置は、第１列をＡ11、Ｂ11、Ａ21、Ｂ21、Ａ31、Ｂ31、……、Ａh1、Ｂh1、……、Ａm1、Ｂm1、第２列をＢ12、Ａ12、Ｂ22、Ａ22、Ｂ32、Ａ32、……、Ｂh1、Ａh1 、……、Ｂm2、Ａm2、 …………、第ｋ列をＡ1k、Ｂ1k、Ａ2k、Ｂ2k、Ａ3k、Ｂ3k、……、 Ａhk、Ｂhk、……、Ａmk、Ｂmk、第ｋ＋１列をＢ1,k+1、Ａ1,k+1、Ｂ2,k+1、Ａ2,k+1、Ｂ3,k+1、Ａ3,k+1、……、Ｂh1、Ａh1、……、 Ｂm,k+1、Ａm,k+1 のように構成することをいう。
【００３２】
同様に、タイルＡhkの下にタイルＢhkを配する配置は、第１左列をＡ11、Ｂ21、Ａ31、Ｂ41、……、Ａh1、Ｂh+1,1、……、Ａm1、第１右列をＢ11、Ａ21、Ｂ31、Ａ41、 ……、Ｂh1、Ａh+1,1 、……、Ｂm1、…………、第ｋ左列をＡ1k、Ｂ2k、Ａ3k、Ｂ4k、……、 Ａhk、Ｂh+1,k、……、Ａmk、第ｋ右列をＢ1k、Ａ2k、Ｂ3k、Ａ4k、……、Ｂhk、Ａh+1,k、……、Ｂmk、第(ｋ＋１)左列をＡ1,k+1、Ｂ2,k+1、Ａ3,k+1、Ｂ4,k+1、……、 Ａh,k+1、Ｂh+1,k+1、……、Ａm,k+1、第(ｋ＋１)右列をＢ1,k+1、Ａ2,k+1、Ｂ3,k+1、Ａ4,k+1、……、Ｂh,k+1、Ａh+1,k+1、……、 Ｂm,k+1のように構成することをいう。
【００３３】
前記第１及び第２の視差図柄をタイル分割する意味は、第１及び第２の視差図柄は互いに同形状の正方形又は長方形であることから、これらをそれぞれ均等に同一形状方形でタイル分割し、タイルの大きさが半端となる半端部分を生じることなく分割するということである。従って、第１及び第２の視差図柄が長方形であれば、長辺及び短辺の公約数を、タイルの一辺長さとすることが好ましい。
分割の行数又は列数は奇数偶数の別を問わない。
【００３４】
タイルの行列配置の表記については、Ａ及びＢを規則的に交互という配列の規則性を示すため、Ａを第１、Ｂを第２として表示したが、互いに入れ替えて表示してよい(交換可能である)。
【００３５】
また、添字ｈ及びｋは、前記規則性を説明する都合上、奇数と仮定して記述したが要件ではなく、偶数であった場合は、ｈ行又はｋ列のＡとＢとが、奇数の場合と逆に読み替えて表現できる。
【００３６】
例えば、タイルＡhkの下にタイルＢhkを配する配置の場合において、ｋが偶数であると、第ｋ列はＢ1k、Ａ1k、Ｂ2k、Ａ2k、Ｂ3k、Ａ3k、……、 Ｂhk、Ａhk、……、Ｂmk、Ａmk、第ｋ＋１列はＡ1,k+1、Ｂ1,k+1、Ａ2,k+1、Ｂ2,k+1、Ａ3,k+1、Ｂ3,k+1、……、Ａh1、Ｂh1、……、 Ａm,k+1、Ｂm,k+1である。
【００３７】
また、各タイルを規則的に交互に配列して一枚の図柄にするとは、すべてのタイルを、各タイルを隙間なくかつ重なり合いなく接続して一枚の図柄にすることをいう。
【００３８】
マスキングの配列は、例えば黒及び白の交互配列からなる市松模様の打違え位置にたとえて表現することができる。即ち、市松模様の打違え位置は、かかる市松模様において、例えば、黒のみ又は白のみに着目したときの、その何れか一方のみの色、黒でいうなら黒のみについての配列位置の意味である。
【００３９】
このような配列は、黒のタイルのジグザグ配列(又は千鳥状配列、千鳥掛け配列)が並列しているともいうことができる。また、市松模様というたとえはチェッカーボードパターンと言い換えてもよい。
【００４０】
本発明において、ＡとＢとが交換可能であることから、タイルの何れか一枚に着目した際、その一枚が白であるか黒であるかはいずれでもよい。その一枚の４隣接タイルは、言うまでもなく反対色である。
【００４１】
マスキングの大きさはタイル２行２列分であり、その配設位置は、図１０に示すように、配列図柄の各タイルの配列位置に対応させている。ただし、図１１に示すように、最端行又は最端列においては１行２列分又は２行１列分の大きさのマスキングＭｘを配設することがある。
【００４２】
かかる構成により、該配列図柄は、画像パネルに対して視線を左右方向にずらして見て立体感が得られるとともに視線を上下方向にずらして見ても立体感が得られ、立体的な画像として視認できる画像パネルを得る。
【００４３】
このような市松模様状態のマスキングの配置と同等の作用を得ることのできるレンチキュラーレンズを作成することは極めて困難であるので、このような左右方向及び上下方向の何れにも立体的な画像として視認できる画像パネルは、レンチキュラーレンズを使用する従来の構成では到底得られない。従って、簡単な製法で種々の複雑な図柄でも立体的な画像として視認できる画像パネルを得る。
【００４４】
次に、本発明の第７の態様による立体的に見える画像パネルは、画面中において、前記のタイルの縦横の寸法比率を変えて構成することができ、マスキングの縦横の寸法比率もタイルに対応して設定する。このとき、寸法比率は、縦横を異ならせる他、縦及び横の少なくとも一方において寸法を複数種類設定してよい。第７の態様は、画面の明るさや色あいを部分的に変更したり、より多く見せる部分と少なく見せる部分とを差別化したりすることができる。
【００４５】
さらに、本態様においては、立体的に見える画像パネルを、前述した同一方形によるタイル分割ではなく、例えば、平行四辺形のピースに分割し、分割されたピースを、タイルの場合と同様に、第１の図柄をＵ、第２の図柄をＶ、各ピースを添字ｈｋによって行列状にＵhk、Ｖhk(ｈｋｍｎは何れも正の整数、ｈｋは奇数、１≦ｈ≦ｍ、１≦ｋ≦ｎ)と表わし、同一の添字についてピースＵhkの右にピースＶhkを配するとともにＵhk及びＶhkはそれぞれ元の図柄の行列配列を保って各ピースを規則的に交互に、又は、同一の添字についてピースＵhkの斜め下にタイルＶhkを配するとともにＵhk及びＶhkはそれぞれ元の図柄の行列状配列を保って各ピースを規則的に交互に配列して一枚の図柄とした配列図柄Ｓを構成し、該配列図柄Ｓが所定厚さの透明基板１の裏面に設けられ、ピース２行２列分の大きさを有するマスキングが前記透明基板１の表面に市松模様の打違え位置ごとに前記配列図柄の各ピース位置に対応して配設される。
【００４６】
また、本発明の第８の態様による立体的に見える画像パネルは、第５の態様〜第７の態様の何れかにおける視差図柄の構成を利用して、第２の態様のごとく二種類の図柄を異なる視点から見てそれぞれ得られた合計四枚の視差図柄とし、視点を変えることにより異なる画像が立体的な画像として視認できる画像パネルを得る。
【００４７】
次に、視差図柄を容易に、かつ、定量的に再現性よく作製する方法について説明する。本発明に係わる立体的に見える画像パネルの製造方法は、(ａ)２つの図柄形成手段、１つの注視点、及び、少なくとも１個の被写体を準備し、(ｂ)２つの図柄形成手段を前記１つの注視点に対して肉眼視差角度を隔てて注視点に向けて配置し、２つの図柄形成手段の位置を結ぶ線分である視差線分の中点と前記１つの注視点とを結んで中心線分とし、(ｃ)視差線分と注視点との間に前記被写体を、被写体のうち注視点から最も離れた位置までの注視点からの距離の前記中心線分への射影と、注視点から視差線分までの距離との比を１：２．５〜１：３．５となるように被写体を配置し、(ｄ) 各図柄形成手段によって、各図柄形成手段からそれぞれ被写体をみた被写体の図柄を形成して視差図柄を得る、工程(ａ)〜(ｄ)を含むことを特徴とする。
【００４８】
図柄形成手段としては、或る特定の位置から被写体をみてその図柄を写し取ることができるものを用いる。よく知られたカメラ等の撮影手段や、ＣＣＤ等の撮像手段等、特定した位置から被写体をみてその図柄を写し取ることができれば何でも用いることができる。写し取った図柄が、デジタルデータで表わされる画像データであれば、種々の画像処理が直ちにできるので、好ましい。
【００４９】
また、図柄形成手段の配置位置に関して述べるならば、鉛直線に対する水平面上の２箇所、即ち、通常の室内の床面上等に設置することができるのは当然であるが、水平面を挟む鉛直線上の２箇所、即ち、床から或距離隔てた水平面を挟んでその上下に２箇所設置することもできる。さらに、水平面上の２箇所と、水平面を挟んでその上下とした２箇所との４箇所、或いは、この４箇所を含む複数箇所に設置してもよい。
【００５０】
さらに、本発明に係わる画像パネルの製造方法は、前記被写体のうち注視点から最も離れた位置までの注視点からの距離と、視差線分との比の比を１：０．１０〜１：０．１４の範囲内とし、前記図柄形成手段が注視点をみる直線と中心線とのなす角度が１度〜３度の範囲内であるとすることができる。
【００５１】
前記比の範囲内及び角度の範囲内であれば、視差線分の長さを、各図柄形成手段が肉眼視差角度隔てるとともに、左右及び上下に視点をずらして画像パネルをみたときに立体感を得る効果を強調できるように構成してそれぞれ被写体をみる設定が容易に定量的に得られる。肉眼視差は、人間の両眼の視差をいう。
以上の方法によれば、特に技巧的な熟練等を要することなく、通常よく知られた画像形成手段を用いて簡単な設定で視差図柄を再現性よく定量的に得る。
【００５２】
【発明の実施の形態】
以下、本発明の実施の形態を添付図面を参照しつつさらに詳細に説明する。
【００５３】
実施の形態１：
本実施の形態に係わる立体的に見える画像パネルの構成を作製工程の順に従って説明する。まず、図１の(ｂ)にその要部断面を示したように、例えば写真による複数の花の図柄(原図、図示せず)に対し、前記「シェード」により３次元画像処理にて立体感を付与した図柄２を作製した。
【００５４】
次に、図１の(ｂ)に、立体感を付与した図柄２と視差図柄Ｌ，Ｒと配列図柄Ｓとの関係を示したように、この花の図柄２を左右異なる視点から見たそれぞれの図柄を、実施の形態６に説明するようにして前記「フォトショップ」により二枚の視差図柄Ｌ，Ｒとして作製した。
【００５５】
こののち、この二枚の視差図柄Ｌ，Ｒをそれぞれ約０．０８ｍｍ幅にて複数の線状帯Ｌ1,Ｌ2,…,Ｌi,…Ｌn，Ｒ1,Ｒ2,…，Ｒi，…Ｒnに分割し、該線状帯をＬ1,Ｒ1,Ｌ2,Ｒ2,…Ｌn，Ｒnのように線状帯ＬiとＲiとが交互に隣接させて分割順に(添字の昇順に)配列して一枚の図柄とした配列図柄Ｓとした状態にてコンピュータから取り出した。
【００５６】
ただし、前記添字のｎは任意に指定する正の整数であり、ｉは１，２，……ｎを代表し、図では破断線を省略して、Ｌ1,Ｌi,Ｌnを例示した。以下の実施の形態２〜４においても同様である。
尚、添字を付する順は、例えば、図１に示す如く、本明細書の紙面に向かって左からの順とする。
【００５７】
そして、この配列図柄Ｓを、図１の(ａ)に示したように、厚さ約３ｍｍのアクリル製透明基板１の裏面にスクリーン印刷にて直接印刷して設けた。他方、該透明基板１の表面には、前記線状帯の組(Ｌi，Ｒi)二本分の幅と同じ幅、即ち、約０．１６ｍｍ幅の黒色のマスキング３を、該マスキング３の幅と同じ幅の間隔を隔てて複数本が飛び飛びに配列された状態で前記線状帯の各組(Ｌi，Ｒi)と対応する位置(本実施の形態においては添字ｉの奇数の組に対応する位置にマスキング３が設けられている)となるように透明基板１を介して平行に、ストライプ状にスクリーン印刷により直接印刷して設け、立体的に見える画像パネルを作成した。
【００５８】
前記立体的に見える画像パネルは、表面のストライプのスリット側より少し離れた位置から見ると、複数の花の図柄が立体的な画像として視認できる。また、バックライト(電飾品)を透明基板１の裏面に配設し、このバックライトを利用して画像パネルを見ることにより、明るくて極めて鮮やかな立体的な画像として視認できた。
【００５９】
なお、前記実施の形態１においては、３次元画像処理にて立体感を付与した花の図柄(原図)に対し、左右異なる二つの視点から見てそれぞれ得られた二枚の視差図柄をそれぞれ複数の線状帯Ｌ1,Ｌ2,…,Ｌi,…Ｌn，Ｒ1,Ｒ2,…，Ｒi，…Ｒnに分割し、この線状帯をＬ1,Ｒ1,Ｌ2,Ｒ2,…Ｌn，Ｒnのように線状帯ＬiとＲiとが交互に隣接させて分割順に(添字の昇順に)配列して一枚の図柄とした状態で透明基板１に印刷したが、前記視差図柄は、ほぼ同一平面上の左右異なる二つの視点から見た二枚に限定されるものではない。
【００６０】
即ち、左右と中央若しくはそれぞれ左右二カ所の四つの視点、又は左右及び距離の異なる点から見た三枚又は四枚の視差図柄とし、この視差図柄をそれぞれ複数の線状帯に分割してこれらの線状帯を分割した順に隣接するように配列した状態で透明基板１に印刷してもよい。
【００６１】
しかも、左右異なる視点を三カ所や四カ所に増やした場合も、立体的に見える画像パネルとして見た場合には二カ所の場合と同様の視覚効果が得られた。
【００６２】
また、図柄については、複数の花の図柄のみでなく、鳥の図柄や動物の図柄等種々の任意の図柄を適宜組み合わせた図柄としてもよい。
【００６３】
実施の形態２：
本実施の形態に係わる立体的に見える画像パネル(立体チェンジング画像パネル)は、視点を変えることにより異なる画像が立体的に見える画像パネルであり、その構成を作製工程の順に従って説明する。まず、図２にその要部断面を示したように、例えば写真によるそれぞれ別個の花(図示せず)の図柄と鳥(図示せず)の図柄に対し、前記と同様の要領により、それぞれの図柄を３次元画像処理にて立体感を付与した。
【００６４】
この後、この花の図柄と鳥の図柄とをそれぞれ左右異なる視点から見てそれぞれ得られた二枚の視差図柄(花の視差図柄Ｌａ、Ｒａ(図示せず)及び鳥の視差図柄Ｌｂ、Ｒｂ(図示せず))とすると共に、このそれぞれ得られた二枚の視差図柄をそれぞれ約０．１６ｍｍ幅にて複数の線状帯Ｌａ1,Ｌａ2,…,Ｌａi, …Ｌａn，Ｒａ1,Ｒａ2,…,Ｒａi, …Ｒａn,Ｌｂ1,Ｌｂ2,…,Ｌｂi, …Ｌｂn，Ｒｂ1,Ｒｂ2,…,Ｒｂi, …Ｒｂnに分割し、該異なる視差図柄がそれぞれ分割されて得られた線状帯を、Ｌａ1,Ｒａ1,Ｌｂ1,Ｒｂ1,Ｌａ2,Ｒａ2,Ｌｂ2,Ｒｂ2,………Ｌａi,Ｒａn,Ｌｂn,Ｒｂnのように配列する。
【００６５】
換言すれば、「Ｌａi,Ｒａi,Ｌｂi,Ｒｂi」 を一組として各組が添字の昇順に隣接するように、視差図柄からそれぞれ得られた線状帯を交互に隣接させて分割順に配列する。そしてこのように配列して一枚の図柄とした配列図柄Ｓをコンピュータから取り出した。
【００６６】
そののち、この配列図柄Ｓを、図２に示すように、厚さ約５ｍｍの淡い赤色のアクリル製透明基板１の裏面にスクリーン印刷にて直接印刷し、該透明基板１の表面には、前記線状帯二本分の幅と同じ幅、即ち、約０．３２ｍｍ幅の赤色のマスキング３を、該マスキング３の幅と同じ幅の間隔を隔てて飛び飛びに前記線状帯の各組(Ｌａi,Ｒａi,Ｌｂi,Ｒｂi)の位置に対応する位置(線状帯Ｌａi及びＲａiの位置にストライプ３が設けられている)となるように透明基板１を介して平行に、ストライプ状にスクリーン印刷により直接印刷して立体チェンジング画像パネルを作成した。
【００６７】
前記立体チェンジング画像パネルは、表面のストライプのスリット側より少し離れた位置から少し視点を左右にずらしながら見ると、花の図柄と鳥の図柄の立体的な画像がチェンジングにて視認できた。
【００６８】
なお、前記立体チェンジング画像パネルは、透明基板を淡い赤色のアクリル製にすると共にマスキング３を赤色の印刷により設けたため全体的に実施の形態１の立体的に見える画像パネルより赤味がかった感じのものになり、原画画像の種類に適した背景色を選択して画像パネルを得ることができる利点がある。このように、透明基板１に着色したものを用いる画像パネルは、実施の形態１、３及び４においても実施可能である。
【００６９】
実施の形態３：
本実施の形態に係わる立体的に見える画像パネル(立体遠近画像パネル)は、視点を変えることにより遠近感を有する画像が立体的に見える画像パネルであり、その構成を作製工程の順に従って説明する。まず、図３にその要部断面を示したように、例えば、写真による複数のコインの図柄とイラストによる英文字に対し、前記と同じ「シェード」と「フォトショップ」により、コインの図柄が後部に位置し、英文字がその前部に位置するように３次元画像処理にて両図柄に遠近感を付与すると共に、それぞれの図柄に立体感を付与した。
【００７０】
そして、この合成した遠近感と立体感を有する合成図柄を左右異なる視点から見てそれぞれ得られた二枚の視差図柄Ｌ，Ｒとし、この二枚の視差図柄Ｌ，Ｒをそれぞれ約０．０８ｍｍ幅にて複数の線状帯Ｌ1,Ｌ2,…,Ｌi, …Ｌn，Ｒ1,Ｒ2,…,Ｒi, …Ｒnに分割し、分割されて得られた線状帯をＬ1, Ｒ1,Ｌ2, Ｒ2,…Ｌn, Ｒnのように線状帯Ｌiと Ｒiとが交互に隣接するように分割順に(添字の昇順に)交互に隣接するように配列して一枚の図柄とした状態の配列図柄Ｓをコンピュータから取り出し、この配列図柄Ｓを図３に示すように、厚さ約０．０１ｍｍのポリエステルフィルム１ａの表面にオフセット印刷した。
【００７１】
他方、厚さ約０．０１ｍｍのポリエステルフィルム１ｂの裏面に、前記線状帯二本分の幅と同じ幅、即ち、約０．１６ｍｍ幅の黒色のマスキング３を、該マスキング３の幅と同じ幅の間隔を隔てて複数本が飛び飛びにストライプ状にオフセット印刷した。
ポリエステルフィルムの厚さは、配列図柄とマスキングとによって得られる視覚効果を損なうことがないように、薄いものが好ましい。
【００７２】
そして、前記コインの図柄と英文字が合成された合成図柄を表面に印刷したポリエステルフィルム１ａの表面(印刷面)を、厚さ約３ｍｍのポリカーボネイト製透明基板１の裏面に透明接着剤により接着すると共に、前記ストライプ状のマスキング３を裏面に印刷したポリエステルフィルム１ｂの裏面(印刷面)を、該マスキング３が前記線状帯の各組(Ｌi,Ｒi)の位置に対応する位置(本実施の形態においては添字ｉが奇数の組に対応する位置にマスキング３が設けられている)と透明基板１を介して平行になるように前記透明基板１の表面に透明接着剤により接着して立体遠近画像パネルを作成した。
【００７３】
この立体遠近画像パネルにおいては、コインの図柄を背景とし、その前方に英文字の図柄が浮いた状態の遠近感を有する立体的な画像が視認できた。
【００７４】
また、この立体遠近画像パネルにおいては、薄いポリエステルフィルムに各種図柄２やマスキング３をオフセット印刷にて形成することができるので、高精度の印刷図柄が得られ、立体的な画像として見た場合にもシャープな画像となる。
【００７５】
実施の形態４：
本実施の形態に係わる立体的に見える画像パネル(立体動的形態変化画像パネル)は、複数の異なる形態の動的画像が立体的に見える画像パネルであり、その構成を作製工程の順に従って説明する。まず、図４にその要部断面を示したように、例えば、厚さ５ｍｍのアクリル製透明基板１の表面に、一匹の動物における三形態の動的変化を有する動的図柄Ｍ，Ｎ，Ｐ(図示せず)に対して、それぞれ左右異なる視点から見てそれぞれ得られた二枚の視差図柄(動的図柄Ｍに対して視差図柄ＭＬ，ＭＲ、同様にＮに対してＮＬ，ＮＲ、Ｐに対してＰＬ，ＰＲ)を０．３ｍｍ幅にて複数の線状帯ＭＬ1，ＭＬ2，…，ＭＬi，…ＭＬn，ＭＲ1，ＭＲ2，…，ＭＲi，…ＭＲn，ＮＬ1，ＮＬ2，…，ＮＬi，…ＮＬn，ＮＲ1，ＮＲ2，…，ＮＲi，…ＮＲn，ＰＬ1，ＰＬ2，…，ＰＬi，…ＰＬn，ＰＲ1，ＰＲ2，…，ＰＲi，…ＰＲnに分割し、この異なる視差図柄の線状帯を、ＭＬ1，ＭＲ1，ＮＬ1，ＮＲ1，ＰＬ1，ＰＲ1，ＭＬ2，ＭＲ2，ＮＬ2，ＮＲ2，ＰＬ2，ＰＲ2，………，ＭＬn，ＭＲn，ＮＬn，ＮＲn，ＰＬn，ＰＲnのように配列する。
【００７６】
換言すれば、「ＭＬi，ＭＲi，ＮＬi，ＮＲi，ＰＬi，ＰＲi」を一組として各組が添字の昇順に隣接させて、即ち、視差図柄からそれぞれ得られた線状帯を交互に隣接させて分割順を保って配列する。そしてこのように配列して一枚の図柄とした配列図柄Ｓをスクリーン印刷により直接印刷して画像基板Ａを作成した。
【００７７】
一方、別の厚さ約１ｍｍのポリエステルフィルム製着色(淡い青色)フィルム１ｃの表面に、前記動的図柄の数、即ち、「３」より一つ少ない数「２」に異なる視点の数「２」を乗じた数「４」の線状帯の幅のマスキング３を、一つの動的図柄に対する異なる視点の数「２」と同数の線状帯の幅と同じ幅を隔てて、即ち、動的図柄の数「３」に異なる視点の数「２」を乗じた数「６」の線状帯の幅を１ピッチとして、交互に前記線状帯の組(ＭＬi，ＭＲi，ＮＬi，ＮＲi，ＰＬi，ＰＲi)のそれぞれと平行な位置となるように、ストライプ状にスクリーン印刷により直接印刷してストライプフィルムＢを作成した。
【００７８】
なお、前記線状帯による動的図柄は透明基板１の裏面に設けてもよく、また、マスキング３についてもフィルム１ｃの裏面に設けてもよい。
【００７９】
前記画像基板ＡとストライプフィルムＢとを、画像基板Ａの表面(印刷面)にストライプフィルムＢの裏面を対応させ、各マスキング３が前記線状帯の各組(ＭＬi，ＭＲi，ＮＬi，ＮＲi，ＰＬi，ＰＲi)の位置に対応する位置となるように平行にストライプフィルムＢが画像基板Ａの上方をスムーズに左右、即ち、ストライプの方向と直交方向に摺接して相対的に移動可能とし得るように、ローラ１１等を利用してエンドレスに設けて立体動的形態変化画像パネルを作成した。
【００８０】
この立体動的形態変化画像パネルにおいては、ストライプフィルムＢを左右に摺動させることにより、一匹の動物が三形態に動的変化する状態が立体的な画像として視認できた。
【００８１】
なお、前記動的変化を有する動的図柄の数は三形態に限定されるものではなく、四形態以上でもよい。
【００８２】
以上、実施の形態１〜４においては、複数の視差図柄からそれぞれ得られた各線状帯を交互に隣接させて分割順を保って配列して一枚の図柄とした配列図柄を印刷により透明基板等に設けた例を説明したが、これを設ける方法は印刷に限らず、一旦フィルムに印刷したものを透明基板に貼り付ける方法であってもよい。
【００８３】
また、マスキング３と線状帯との位置関係は、実施の形態１〜３においては、互いに対応する位置関係とした例を説明したが、それぞれのピッチが同じであれば、何番目の線状帯の組がマスキング３の直下にくるというような位置関係はずれていてもよい。
【００８４】
実施の形態５
以上の実施の形態１〜４においては、視差図柄中及び配列図柄中において、ストライプの幅は一定であった。本実施の形態は、図５に示すように、ストライプの幅を複数種類設定する構成である。例えば、図５の(ａ)では、幅がＷ1、Ｗ2(Ｗ1>Ｗ2)の２種類で視差図柄を分割する。また、図５の(ｂ)では、Ｗ1、Ｗ2、Ｗ3、Ｗ4、…、Ｗ1(Ｗ1>Ｗ2>Ｗ3>Ｗ4…)のように、幅が中央部分に向かって次第に小さくなるようにして視差図柄を分割することができる。このように分割した視差図柄から、実施の形態１〜４と同様に配列図柄を構成する。
【００８５】
マスキングの幅はストライプの幅に対応させて構成し、ストライプ及びマスキング以外の構成については、実施の形態１〜４と同様である。ストライプの幅の変化のさせ方は、例えば、図５の(ｂ)のように設定してもよいが、逆に中央部分に向かって次第に大きくなるようにする等、種々設定できる。
【００８６】
かかる構成により、マスキングの幅もストライプに対応して設定するので、マスキングの太い細いの分布のさせ方が場所によって異なることとなり、画面の明るさや色あいを部分的に変更したり、より多く見せる部分と少なく見せる部分とを差別化したりすることができる。
【００８７】
実施の形態６：
以上、実施の形態１〜５においては、視点をずらして画像パネルをみるとき、一方向に動かす場合で説明していた。偶々、レンチキュラーレンズを用いた画像パネル製品が、左右方向に視点をずらすものが多かったので、それに倣って左右方向の場合で説明したが、視点をずらす方向は、勿論上下であってもよい。視点を上下にずらして立体感等を得る画像パネルの構成や製造方法は、実施の形態１〜４の説明における左右方向に関する記述を上下方向に読み替えるだけでよい。
【００８８】
本実施の形態は、左右方向及び上下方向に視点をずらす態様を同時に一枚の画像パネル内で実現する、本発明の第６の態様による立体的に見える画像パネルを作製工程の順に従って説明する。
【００８９】
実施の形態１〜５の場合と同様に、例えば写真による複数の花の図柄(原図、図示せず)に対し、前記「シェード」により３次元画像処理にて立体感を付与した図柄２を作製した。
【００９０】
次に、立体感を付与した図柄２を、左右異なる視点から、或いは、上下異なる視点からみて２枚の視差図柄Ａ，Ｂとして作製した。
【００９１】
こののち、図６に示すように、第１の視差図柄２A(図６の(ａ))及び第２の視差図柄２B(図６の(ｂ))を、それぞれ０．１６ｍｍ角の方形にてタイル分割した。この同一方形でタイル分割して得た各タイルを、第１の図柄をＡ、第２の図柄をＢ、各タイルを添字ｈｋによって行列状にＡhk、Ｂhk(ｈｋｍｎは何れも正の整数、ｈｋは奇数、１≦ｈ≦ｍ、１≦ｋ≦ｎ)と表わすものとし、
▲１▼のタイプ：同一の添字についてタイルＡhkの右にタイルＢhkを配するとともにＡhk及びＢhkはそれぞれ元の図柄の行列配列を保って各タイルを規則的に交互に配列、又は、
▲２▼のタイプ：同一の添字についてタイルＡhkの下にタイルＢhkを配するとともにＡhk及びＢhkはそれぞれ元の図柄の行列配列を保って各タイルを規則的に交互に配列する。尚、添字の区切り記号カンマは混乱のおそれのない限り省略する。
【００９２】
図６〜図９は、視差図柄の分割及び配列図柄における市松模様状の配列の要領を模式的に示す説明図である。図６に、第１の視差図柄２A及び第２の視差図柄２Bを示す。図示したように、同一形状方形で第１の視差図柄２A及び第２の視差図柄２Bを同一方形でタイル分割し、各タイルを添字ｈｋによって行列形式で表示する。
【００９３】
図７は、▲１▼のタイプとして、タイル分割された第１の視差図柄２Aの各タイル及び第２の視差図柄２Bの各タイルを配列し直して配列図柄ＳHを得る配列規則を示す。図８は、▲２▼のタイプとして、タイル分割された第１の視差図柄２Aの各タイル及び第２の視差図柄２Bの各タイルを配列し直して配列図柄ＳTを得る配列規則を示す。
【００９４】
図７では、同一座標表示の２つのタイル(例えば、Ａ11とＢ11との両者)について、視差図柄２Aの下に第２の視差図柄２Bを配列して配列図柄ＳHを得るのに対し、図８では、同一座標表示の２つのタイルについて、視差図柄２Aの右に第２の視差図柄２Bを配列して配列図柄ＳTを得る。
【００９５】
まず、▲１▼のタイプは、図７に示すように、Ａhk及びＢhkを、第１列をＡ11、Ｂ11、Ａ21、Ｂ21、Ａ31、Ｂ31、……、Ａh1、Ｂh1、……、Ａm1、Ｂm1、第２列をＢ12、Ａ12、Ｂ22、Ａ22、Ｂ32、Ａ32、……、Ｂh1、Ａh1 、……、Ｂm2、Ａm2、 …………、第ｋ列をＡ1k、Ｂ1k、Ａ2k、Ｂ2k、Ａ3k、Ｂ3k、……、 Ａhk、Ｂhk、……、Ａmk、Ｂmk、第ｋ＋１列をＢ1,k+1、Ａ1,k+1、Ｂ2,k+1、Ａ2,k+1、Ｂ3,k+1、Ａ3,k+1、……、Ｂh1、Ａh1、……、 Ｂm,k+1、Ａm,k+1 のように構成してすべてのタイルを接続して配列図柄ＳHを作製する。
【００９６】
このようにして一枚の図柄とした配列図柄ＳHを構成し、該配列図柄ＳHを厚さ約３ｍｍの透明基板１の裏面に設ける。
【００９７】
次に、タイル２行２列分の大きさ、即ち、０．３２ｍｍ角の方形形状のマスキングを前記透明基板１の表面に、市松模様の打違え位置ごとに前記配列図柄の各タイル位置に対応して配設する。図１０及び図１１は、マスキングＭを設ける位置を、配列図柄Ｓのタイル配列に対して対応するようにして破線で示した。
【００９８】
本実施の形態の別の例である▲２▼のタイプは、図８に示すように、同一方形でタイル分割して得た各タイルを、同様の行列表示に従って、第１左列をＡ11、Ｂ21、Ａ31、Ｂ41、……、Ａh1、Ｂh+1,1、……、Ａm1、第１右列をＢ11、Ａ21、Ｂ31、Ａ41、 ……、Ｂh1、Ａh+1,1 、……、Ｂm1、…………、第ｋ左列をＡ1k、Ｂ2k、Ａ3k、Ｂ4k、……、 Ａhk、Ｂh+1,k、……、Ａmk、第ｋ右列をＢ1k、Ａ2k、Ｂ3k、Ａ4k、……、Ｂhk、Ａh+1,k、……、Ｂmk、第(ｋ＋１)左列をＡ1,k+1、Ｂ2,k+1、Ａ3,k+1、Ｂ4,k+1、……、 Ａh,k+1、Ｂh+1,k+1、……、Ａm,k+1、第(ｋ＋１)右列をＢ1,k+1、Ａ2,k+1、Ｂ3,k+1、Ａ4,k+1、……、Ｂh,k+1、Ａh+1,k+1、……、 Ｂm,k+1のように構成してすべてのタイルを接続して配列図柄ＳTを作製する。
【００９９】
このようにして一枚の図柄とした配列図柄ＳTを構成し、該配列図柄ＳTを厚さ約３ｍｍの透明基板１の裏面に設ける。
【０１００】
次に、タイル２行２列分の大きさ、即ち、０．３２ｍｍ角の方形形状のマスキングを前記透明基板１の表面に、市松模様の打違え位置ごとに前記配列図柄の各タイル位置に対応して配設する。
【０１０１】
ｈ及びｋは、前述した交互配列の規則性を説明するため奇数と仮定して記述したが要件ではなく、偶数であった場合は、ｈ行又はｋ列のＡとＢとが、奇数の場合と逆に読み替えて表現できる。
【０１０２】
例えば、図７において、ｋが偶数であると、第ｋ列はＢ1k、Ａ1k、Ｂ2k、Ａ2k、Ｂ3k、Ａ3k、……、 Ｂhk、Ａhk、……、Ｂmk、Ａmk、第ｋ＋１列はＡ1,k+1、Ｂ1,k+1、Ａ2,k+1、Ｂ2,k+1、Ａ3,k+1、Ｂ3,k+1、……、Ａh1、Ｂh1、……、 Ａm,k+1、Ｂm,k+1である。
【０１０３】
また、図９は、ｈやｋが奇数である場合の２種類のタイルの配列を示す。同一座標表示の２つのタイルについて、図９の(ａ)は、ｋが奇数であるときを示し、視差図柄２Aの下に第２の視差図柄２Bを配列して配列図柄ＳHを得るのに対し、図９の(ｂ)では、ｈが奇数であるときを示し、視差図柄２Aの右横に第２の視差図柄２Bを配列して配列図柄ＳTを得る。従って、ｈ及びｋが偶数であれば、図９の(ｃ)及び(ｄ)に示すように、ハッチングの有無が逆になる。
【０１０４】
かかる▲１▼のタイプ及び▲２▼のタイプの構成により、配列図柄は、画像パネルに対して視線を左右方向にずらして見て立体感が得られるとともに視線を上下方向にずらして見ても立体感が得られ、立体的な画像として視認できる画像パネルを得る。このような立体的な画像として視認できる画像パネルは、レンチキュラーレンズを使用する従来の構成では到底得られない。従って、簡単な製法で種々の複雑な図柄でも立体的な画像として視認できる画像パネルを得る。
【０１０５】
本実施の形態の説明では、本発明を、視点を変えることにより立体的に見える画像パネルに適用した場合で説明したが、実施の形態２〜４の説明を参照することにより、実施の形態２〜４に係わる立体的に見える画像パネルを左右及び上下に視点を変えることにより立体的に見える画像パネルに作り変えることが容易にできる。
【０１０６】
実施の形態７
次に、本発明の第７の態様による立体的に見える画像パネルを説明する。第７の態様によれば、配列図柄中において、前記のタイルの縦横の寸法比率をタイルの位置によって変えて構成することができ、マスキングの縦横の寸法比率も、その寸法比率を変更した各タイルに対応して設定する。
【０１０７】
図１２は、タイルの縦寸法及び横寸法を、例えば、(ａ)では、横がｘ1、縦がｙ1(ｙ1>ｘ1)の２種類で視差図柄を構成し、(ｂ)では、横がｘ1、縦がｙ1、ｙ2、ｙ3、ｙ4、…、ｙ1(ｙ1>ｙ2>ｙ3>ｙ4…)のように、縦幅が中央部分に向かって次第に小さくなるようにして視差図柄を構成したものを示す。タイルの縦寸法及び横寸法は、タイルを配列することにより視差図柄を構成し得る形状寸法であれば変更することができる。
【０１０８】
かかる構成により、本態様の画像パネルは、マスキングの粗密が場所によって異なることとなり、画面の明るさや色あいを部分的に変更したり、より多く見せる部分と少なく見せる部分とを差別化したりすることができる。
【０１０９】
さらに、本態様においては、実施の形態６で説明した立体的に見える画像パネルを、前述した同一方形によるタイル分割ではなく、例えば、図１２の(ｃ)及び(ｄ)に示したように平行四辺形(以下、ピースという)に分割したものによって配列図柄Ｓを構成することができる。
【０１１０】
即ち、視差図柄を前述した平行四辺形のピースに分割し、分割されたピースを、タイルの場合と同様に、第１の図柄をＵ、第２の図柄をＶ、各ピースを添字ｈｋによって行列状(図１２の(ｃ)に示したような各ピースの位置関係)にＵhk、Ｖhk(ｈｋｍｎは何れも正の整数、ｈｋは奇数、１≦ｈ≦ｍ、１≦ｋ≦ｎ)と表わすものとし、
▲１▼のタイプ：同一の添字についてピースＵhkの右にピースＶhkを配するとともにＵhk及びＶhkは、それぞれ元の図柄の行列配列を保って各ピースを規則的に交互に配列、又は、
▲２▼のタイプ：同一の添字についてピースＵhkの斜め下(図１２の(ｃ)に示したＵ11とＵ12との位置関係)にピースＶhkを配するとともにＵhk及びＶhkは、それぞれ元の図柄の行列状配列を保って各ピースを規則的に交互に配列して一枚の図柄とした配列図柄Ｓを構成する。
【０１１１】
そして、該配列図柄Ｓが、所定厚さの透明基板１の裏面に設けられ、ピース２行２列分の大きさを有するマスキングを、前記透明基板１の表面に市松模様の打違え位置ごととなるように前記配列図柄の各ピース位置に対応して配設する。
平行四辺形のようなピース形状を利用して配列図柄Ｓを構成することにより、斜め画像を強調できる。
【０１１２】
実施の形態８：
本発明の第８の態様による立体的に見える画像パネルは、前記第２の態様のごとく二種類の図柄を異なる視点から見てそれぞれ得られた二枚の視差図柄とするとき、視差図柄の構成を、第５の態様〜第７の態様の何れかにおいて構成した視差図柄を利用したものとすることができ、視点を変えることにより異なる画像が立体的な画像として視認できる画像パネルを得る。
【０１１３】
かかる構成において、マスキングの寸法もピースの寸法に対応して設定するので、画面の明るさや色あいを部分的に変更したり、より多く見せる部分と少なく見せる部分とを差別化したりすることができる。
【０１１４】
以上、実施の形態５〜８においても、複数の視差図柄からそれぞれ得られた各線状帯やタイル、ピースの各場合においても、これらを、元の配列順を保って配列して一枚の図柄とした配列図柄を印刷により透明基板等に設けた例を説明したが、これを設ける方法は印刷に限らず、一旦フィルムに印刷したものを透明基板に貼り付ける方法であってもよい。
【０１１５】
実施の形態９：
本発明に係わる視差図柄を定量的に再現性よく得る方法を説明する。この方法は、(ａ)２つの図柄形成手段、１つの注視点、及び、少なくとも１個の被写体を準備し、(ｂ)２つの図柄形成手段を前記１つの注視点に対して肉眼視差角度を隔てて注視点に向けて配置し、２つの図柄形成手段の位置を結ぶ線分である視差線分の中点と前記１つの注視点とを結んで中心線分とし、(ｃ)視差線分と注視点との間に前記被写体を、被写体のうち注視点から最も離れた位置までの注視点からの距離の前記中心線分への射影と、注視点から視差線分までの距離との比を１：２．５〜１：３．５となるように被写体を配置し、(ｄ) 各図柄形成手段によって、各図柄形成手段からそれぞれ被写体をみた被写体の図柄を形成して視差図柄を得る、工程(ａ)〜(ｄ)を含む。
【０１１６】
図柄形成手段としては、特定した位置から被写体をみてその図柄を写し取ることができるものを用いる。本実施の形態においては、光学式カメラを２機、用意してこれを室内の床面上に設置した。
【０１１７】
図１３は、配列図柄を容易に得るための図柄形成手段及び被写体の配設の位置関係を模式的に示した平面説明図であり、図１４は、各被写体を表わすストライプの配列状態を示す配列図柄の一例を示す説明図である。
【０１１８】
図１３に示したように、本発明に係わる視差図柄を得る工程を実施するために、まず、(ａ)１つの注視点Ｆと、２つの図柄形成手段Ｃ1及びＣ2と、少なくとも１個の被写体Ωを準備する。ここでは、被写体を３個Ω1〜Ω3準備した。これらの図柄形成手段等の配置位置について説明する。
【０１１９】
次に、(ｂ)２つの図柄形成手段Ｃ1及びＣ2を、前記１つの注視点Ｆに対して肉眼視差角度２φを隔てるように注視点Ｆに向けて配置する。このとき、２つの図柄形成手段Ｃ1及びＣ2の位置を結ぶ線分である視差線分ＬPの中点ＰFと前記１つの注視点Ｆとを結んで中心線分ＬCという。
【０１２０】
次に、(ｃ)視差線分と注視点との間に前記被写体を、次の条件を満たすように被写体を配設する。即ち、被写体Ω1〜Ω3のうち注視点から最も離れた位置Ｐ0までの注視点Ｆからの距離の中心線分への射影ＤΩと、注視点から視差線分までの距離ＤCとの比を１：２．５〜１：３．５(比１)となるように被写体を配置する。
【０１２１】
このとき、前記被写体のうち注視点から最も離れた位置までの注視点からの距離(前記射影ＤΩ)と、視差線分ＬPとの比を１：０．１０〜１：０．１４(比２)の範囲内とし、前記図柄形成手段が注視点をみる直線と中心線分ＬCとのなす角度φが１度〜３度の範囲内であるとすることが好ましい。
【０１２２】
前記比(比１及び比２)の範囲内であれば、視差線分の長さを、各図柄形成手段が肉眼視差角度隔てるとともに、左右及び上下に視点をずらして画像パネルをみたときに立体感を得る効果を強調できるように構成してそれぞれ被写体をみる設定が容易に定量的に得られる。ここで、肉眼視差は、人間の両眼の視差をいう。また、前記角度の範囲であれば、図柄によって立体感の効果を強調した視差図柄を得る位置関係を実現できる。
【０１２３】
そして、(ｄ)各図柄形成手段によってそれぞれ被写体をみて、被写体を表わす図柄を形成して視差図柄を得る。よって、特に技巧的な熟練等を要することなく、通常よく知られた画像形成手段を用いて簡単な設定で視差図柄を定量的に再現性よく確実に得る。こののち、配列図柄を作製した。その一例を図１４に示す。
【０１２４】
本発明に係わる立体的にみえる画像パネルの製造方法は、このような工程(ａ)〜(ｄ)を含むことが特徴であり、(ａ)〜(ｄ)以外の工程は、実施の形態１〜８で説明した通りである。また、これらの工程(ａ)〜(ｄ)は、実際には、前記「シェード」上で、前述した距離や角度を設定するようにして図柄を作製することができる。
【０１２５】
以上のようにして、本発明は、特に技巧的な熟練等を要することなく、通常よく知られた画像形成手段を用いて簡単な設定で定量的に再現性よく視差図柄を確実に得る。
【０１２６】
【発明の効果】
本発明においては、従来の金型成形によるかまぼこ状レンチキュラーレンズに代えて、透明基板の表面に直接印刷または貼り合わせにて形成したストライプ状のマスキングを介して、透明基板の裏面に設けられた図柄を両眼視することにより、前述した立体チェンジング画像パネルや、立体遠近画像パネル、立体動的形態変化画像パネルのように、各種の図柄が立体的な画像として視認できる他、立体的な画像によるチェンジングや動的画像としても視認できる。
【０１２７】
しかも、かまぼこ状レンチキュラーレンズによる立体画像は、片目で見ると立体的な視覚効果が得られないが、本発明に係わる画像パネルは片目で見ても立体的な視覚効果が得られる。即ち、レンチキュラーレンズによれば、前述したように、レンズ曲面の影になる部分は見えないので、例えば、左目で見るべき図柄を右目で見ても見えない。ところが、本発明に係わる画像パネルは、表面が平面であるため、片目でも物理的に左目で見る図柄も右目で見る図柄も両方とも見ることができることになるので片目でも立体的な視覚効果が得られる。
【０１２８】
従って、かまぼこ状レンチキュラーレンズ成形用の金型を必要としないことから、全てを印刷により形成して製作コストの大幅な削減が図れ、片目視しても立体的に見えるという利点を備える等、従来のレンチキュラーレンズ方式よりも視覚効果の優れた画像パネルを低価格で提供できる。
【０１２９】
さらに、本発明に係わる画像パネルは、視差図柄中において、ストライプの寸法やタイルの形状及び寸法を複数種類設定して配列図柄を構成でき、画面の明るさや色あいを部分的に変更したり、より多く見せる部分と少なく見せる部分とを差別化したりすることができる。
【０１３０】
さらに、立体的な画像やストライプ状のマスキングが通常の印刷技術等により形成できるため、肉厚の透明基板に対してもスクリーン印刷により任意の立体的な画像やストライプ状のマスキングが直接印刷可能で、デザインの自由度が高くなり、広告あるいは装飾分野における利用価値は高い。
【０１３１】
また、本発明に係わる視差図柄の作製方法を含む、立体的に見える画像パネルの製造方法は、特に技巧的な熟練等を要することなく、通常よく知られた画像形成手段(図柄形成手段)を用いて簡単な設定で定量的に再現性よく視差図柄を確実に得ることができる。
【０１３２】
従って、本発明の産業利用性はきわめて大きなものといえる。
【図面の簡単な説明】
【図１】  (ａ)は本発明に係る立体的に見える画像パネルの一例の要部部分拡大断面図、(ｂ)は立体感を付与した図柄と視差図柄及び配列図柄との関係を示す要部部分拡大断面図。
【図２】本発明に係る立体的に見える画像パネルのチェンジングの一例の要部部分拡大断面図。
【図３】本発明に係る立体的に見える画像パネルの貼り合わせによる一例の要部部分拡大分解断面図。
【図４】本発明に係る立体的に見える画像パネルのスライドタイプの一例の要部拡大断面図。
【図５】  (ａ)及び(ｂ)は、本発明に係わる視差図柄を構成するストライプ幅を複数種類とする例を示す図。
【図６】  (ａ)及び(ｂ)は本発明に係る視差図柄のタイル分割を示す平面説明図。
【図７】本発明に係る配列図柄のタイル配列を示す平面説明図。
【図８】本発明に係る配列図柄のタイル配列を示す平面説明図。
【図９】  (ａ)〜(ｄ)は本発明に係る配列図柄のタイル配列を示す平面説明図。
【図１０】本発明に係る配列図柄のマスキング配置を示す平面説明図。
【図１１】本発明に係る配列図柄のマスキング配置を示す平面説明図。
【図１２】  (ａ)及び(ｂ)は、本発明に係わる視差図柄を構成するタイルの寸法を複数種類とする例、(ｃ)及び(ｄ)は、平行四辺形のピースによる分割の例を示す図。
【図１３】本発明に係わる視差図柄を得る方法を模式的に示す平面説明図。
【図１４】本発明に係わる視差図柄の例を示す図。
【図１５】従来のかまぼこ状レンチキュラーレンズにより画像が立体的に見える原理を示す拡大断面図。
【符号の説明】
１…透明基板、２…立体感を付与した図柄、３…マスキング、７…レンチキュラー板、Ａ…画像基板、Ｂ…ストライプフィルム、Ｌ、Ｒ…図柄の線状帯、Ｓ…配列図柄
【図１】
0003935651.tif 000002
【図２】
0003935651.tif 000003
【図３】
0003935651.tif 000004
【図４】
0003935651.tif 000005
【図５】
0003935651.tif 000006
【図６】
0003935651.tif 000007
【図７】
0003935651.tif 000008
【図８】
0003935651.tif 000009
【図９】
0003935651.tif 000010
【図１０】
0003935651.tif 000011
【図１１】
0003935651.tif 000012
【図１２】
0003935651.tif 000013
【図１３】
0003935651.tif 000014
【図１４】
0003935651.tif 000015
【図１５】
0003935651.tif 000016